(57)【要約】      （修正有）【課題】持ち運びに便利な上に、体の柔軟性が不十分な利用者にとっても装着が簡単でかつ使用感がよく、効果的に足の甲のアーチ形状を矯正することができる、足甲形状矯正具を提供する。【解決手段】細長い部材からなり、前記部材の一方の端部近傍から他方の端部に向かって、利用者の足の指から足の指の付け根を受ける足指受凹部１１、利用者の足の土踏まずを受ける土踏まず受凸部１２、利用者の足の踵を受ける踵受凹部１３、利用者のアキレス腱の距骨側の端部を受ける距骨部受凸部１４、利用者のふくらはぎを受けるふくらはぎ受部１５を設け、前記部材と、利用者の足を固定するための足部固定手段用孔部１６とを備え、前記部材の一方の端部と他方の端部の間の所定の位置に、折畳機構３０を設けることにより、前記部材を折り畳むことができるように構成する。【選択図】図１
0003197311.tif 000002
【実用新案登録請求の範囲】
【請求項１】
細長い部材からなり、
前記部材の一方の端部近傍に、利用者の足の指から足の指の付け根を受ける第一の凹部を備え、
前記第一の凹部の前記部材の他方の端部寄りに隣接する、利用者の足の土踏まずを受ける第一の凸部と、
前記第一の凸部の前記部材の他方の端部寄りに隣接する、利用者の足の踵を受ける第二の凹部と、
前記第二の凹部と前記部材の前記他方の端部寄りに隣接する、利用者のアキレス腱の距骨側の端部を受ける第二の凸部と、
前記第二の凸部と前記他方の端部寄りに隣接する、利用者のふくらはぎを受ける第三の凹部と、
前記部材と、利用者の足を固定するための固定手段と、
を備え、
前記部材の前記第一の凹部から前記第三の凹部までの部分が、利用者の足部を受ける足受部とされ、前記部材の、前記第三の凹部から前記他方の端部までの部分が利用者が前記部材を把持するための把持部とされている、人間の足甲形状矯正具であって、
前記部材の一方の端部と多方の端部の間の所定の位置に、折畳機構を設けることにより、前記部材を折り畳むことができることを特徴とする人間の足甲形状矯正具。
【請求項２】
請求項１記載の人間の足甲形状矯正具において、
前記足受部の一方の側面から他方の側面に貫通する孔部を設け、前記固定手段を前記一方の側面から前記他方の側面に挿通することができるように構成されていることを特徴とする人間の足甲形状矯正具。
【請求項３】
請求項１または請求項２のいずれか１項に記載の人間の足甲形状矯正具において、
前記足受部の、凹凸を備える面の裏側の面に、前記部材を折り畳んだ際に前記部材の把持部側を収納することができる凹部を備えていることを特徴とする人間の足甲形状矯正具。
【請求項４】
請求項１乃至請求項３のいずれか１項に記載の人間の足甲形状矯正具において、
前記折畳機構が、前記部材の把持部側の一端から計測して、前記部材の長手方向の全長の４５パーセント以上５５パーセント以下である位置に設けられていることを特徴とする人間の足甲形状矯正具。
【請求項５】
請求項１乃至請求項４のいずれか１項に記載の人間の足甲形状矯正具において、
前記部材が、炭素繊維強化プラスチック製であることを特徴とする人間の足甲形状矯正具。  
【請求項６】
請求項１乃至請求項５のいずれか１項に記載の人間の足甲形状矯正具において、
前記固定手段が、伸縮性のない布状の部材からなり、前記固定手段を利用者の足と前記足受部とを巻着するための２組以上の締着機構を備えることを特徴とする固定手段であることを特徴とする人間の足甲形状矯正具。
【考案の詳細な説明】
【技術分野】
【０００１】
本考案は、人間の足甲形状矯正具に関する。
【背景技術】
【０００２】
主に女性のバレエダンサーにおいては、足先を固めたトゥシューズを着用して舞踊を演じるが、その際足の甲の反り形状が美的評価に影響するだけでなく、足の筋力のみならず足の甲のアーチ型が適切な形状であることがバレエ特有の爪先立ちで踊るためには重要な要素となる。
【０００３】
また、主にバレエシューズを着用する男性のバレエダンサーにおいても、美的評価並びに舞踊の能力向上のためには、足の甲のアーチを適切な形状に矯正することが重要である。
【０００４】
そこで、足の甲のアーチ形状を矯正するための矯正用器具として、バレエダンサーの土踏まずから踵、ふくらはぎにかけて密着させてストレッチ運動をするための足甲形状矯正具（特許文献１）と、また、前記足甲形状矯正具に利用者の足部を簡単かつ効果的に装着するための固定具（特許文献２）とが知られている。
【先行技術文献】
【特許文献】
【０００５】
【特許文献１】米国特許公報第６０４２５２０号
【特許文献２】実用新案登録第３１７９２７３号
【考案の概要】
【考案が解決しようとする課題】
【０００６】
しかし、足甲の矯正のためのストレッチは、利用者が自宅で行うのみでなく、練習スタジオ等での踊りの練習の前、あるいは、公演を行う際の楽屋等でも行う必要があるが、上述した特許文献１のような足甲形状矯正具は、７００ミリメートル前後の長さがあり、持ち運びに必ずしも便利とはいえなかった。
【０００７】
また、上述した特許文献２のような固定具は、利用者の足を足甲形状矯正具に巻着することにより固定するが、装着の際利用者は、体を鋭角に前屈させて装着作業を行うため、初心者など体の柔軟性が不十分な利用者にとっては、足部と足甲形状矯正具とを使用感がよく、効果的に的に足の甲のアーチ形状を矯正する適切な位置に装着を行うことが困難であるという問題があった
【０００８】
本考案はこのような事情に鑑みてなされたものであり、持ち運びに便利な上に、体の柔軟性が不十分な利用者にとっても装着が簡単でかつ使用感がよく、効果的に的に足の甲のアーチ形状を矯正することができる、足甲形状矯正具を提供することを目的とする。
【課題を解決するための手段】
【０００９】
このような目的に応えるために本考案（請求項１記載の考案）に係る足甲形状矯正具は、細長い部材からなり、前記部材の一方の端部近傍に、利用者の足の指から足の指の付け根を受ける第一の凹部を備え、前記第一の凹部の前記部材の他方の端部寄りに隣接する、利用者の足の土踏まずを受ける第一の凸部と、前記第一の凸部の前記部材の他方の端部寄りに隣接する、利用者の足の踵を受ける第二の凹部と、前記第二の凹部と前記部材の前記他方の端部寄りに隣接する、利用者のアキレス腱の距骨側の端部を受ける第二の凸部と、前記第二の凸部と前記他方の端部寄りに隣接する、利用者のふくらはぎを受ける第三の凹部と、前記部材と、利用者の足を固定するための固定手段と、を備え、前記部材の前記第一の凹部から前記第三の凹部までの部分が、利用者の足部を受ける足受部とされ、前記部材の、前記第三の凹部から前記他方の端部までの部分が利用者が前記部材を把持するための把持部とされている、人間の足甲形状矯正具であって、前記部材の一方の端部と多方の端部の間の所定の位置に、折畳機構を設けることにより、前記部材を折り畳むことができることを特徴とする。
【００１０】
このような構成によれば、前記足甲形状矯正具を折り畳むことにより、持ち運びが容易になるという利点がある。
【００１１】
本考案（請求項２記載の考案）に係る足甲形状矯正具は、請求項１に記載の足甲形状矯正具において、前記足受部の一方の側面から他方の側面に貫通する孔部を設け、前記固定手段を前記一方の側面から前記他方の側面に挿通することができるように構成されていることを特徴とする。
【００１２】
このような構成によれば、利用者の足部と前記足甲形状矯正具を前記固定手段により巻着する際に、足部と足甲形状矯正具とを使用感がよく、効果的に的に足の甲のアーチ形状を矯正する適切な位置に装着を行うことが容易になるという利点がある。
【００１３】
本考案（請求項３記載の考案）に係る足甲形状矯正具は、請求項１または請求項２のいずれか１項に記載の人間の足甲形状矯正具において、前記足受部の、凹凸を備える面の裏側の面に、前記部材を折り畳んだ際に前記部材の把持部側を収納することができる凹部を備えていることを特徴とする。
【００１４】
このような構成によれば、前記足甲形状矯正具を折り畳んだ際に、折り畳んだ状態が安定して破損しにくくなる上に、折り畳んだ状態の前記足甲形状矯正具の厚みがより少なくなり、持ち運びがさらに容易になるという利点がある。
【００１５】
本考案（請求項４記載の考案）に係る足甲形状矯正具は、請求項１乃至請求項３のいずれか１項に記載の人間の足甲形状矯正具において、前記折畳機構が、前記部材の把持部側の一端から計測して、前記部材の長手方向の全長の４５パーセント以上５５パーセント以下である位置に設けられていることを特徴とする。
【００１６】
このような構成によれば、利用者が足部を前記足甲形状矯正具に装着してストレッチ運動を行う際に、前記折畳機構にかかる負荷が小さくなり、前記折畳機構が破損しにくくなるという利点がある。
【００１７】
本考案（請求項５記載の考案）に係る足甲形状矯正具は、請求項１乃至請求項４のいずれか１項に記載の人間の足甲形状矯正具において、前記部材が、炭素繊維強化プラスチック製であることを特徴とする。
【００１８】
このような構成によれば、利用者が足部を前記足甲形状矯正具に装着してストレッチ運動を行う際に、前記足甲形状矯正具が破損しにくくなる上に、軽量で道運びが容易になるという利点がある。
【００１９】
本考案（請求項６記載の考案）に係る足甲形状矯正具は、請求項１乃至請求項５のいずれか１項に記載の人間の足甲形状矯正具において、前記固定手段が、伸縮性のない布状の部材からなり、前記固定手段を利用者の足と前記足受部とを巻着するための２組以上の締着機構を備えることを特徴とする固定手段であることを特徴とする。
【００２０】
このような構成によれば、利用者が足部を前記足甲形状矯正具に装着する際に、足部の足首側部分から足指側部分を２組以上の締着機構で締着することにより、利用者の足部と前記足受部との間にゆるみがなく安定して装着することができるという利点がある。
【考案の効果】
【００２１】
以上説明したように本考案に係る足甲形状矯正具によれば、持ち運びが容易で、前記足甲形状矯正用具と利用者の足を容易に固定できる上にしっかりと固定し、安定した使用感を得ることができる足甲形状矯正具を得ることができる。
【図面の簡単な説明】
【００２２】
【図１】本考案に係る足甲形状矯正具の一実施例を示し、足甲形状矯正具の表裏それぞれの斜視図である。
【図２】図１の足甲形状矯正具の折畳機構の分解図である。
【図３】図１の足甲形状矯正具の伸長状態と折畳状態の図である。
【図４】本考案に係る足甲形状矯正具用の足部固定具の、固定具を利用者の足部と足甲経常矯正具に巻着する際の外側表面の図である。
【図５】本考案に係る足甲形状矯具用に、利用者の足部を載せた状態と、利用者の足部を図４の固定具で足甲経常矯正具に巻着した状態の側面図である。
【図６】本考案に係る足甲形状矯正具の一実施例を示し、本考案に係る足甲形状矯正具用の足部固定具の、固定用ベルトが２本であるものにおいて、固定具を利用者の足部と足甲経常矯正具に巻着する際の外側表面の図である。
【図７】本考案に係る足甲形状矯具用に、利用者の足部を載せた状態と、利用者の足部を図６の固定具で足甲形状矯正具に巻着した状態の側面図である。
【考案を実施するための形態】
【００２３】
本考案は以上のような構成であるので、これを図面に基づきながら本考案の実施の形態を説明する。
【実施例１】
【００２４】
図１乃至図５は本考案に係る足甲形状矯正具の一実施例を示す。
これらの図において、全体を符号１で示すものは本考案を特徴づける足甲形状矯正具である。素材は、炭素繊維強化プラスチック製である。
【００２５】
図１において、符号１０は、本考案に係る足甲形状矯正具の足受部であり、一の端部近傍から足指受凹部１１、土踏まず受凸部１２、踵受凹部１３、距骨部受凸部１４、  ふくらはぎ受部１５の順に設けられている。前記足受部１０の一方の側面から他方の側面へ貫通する足部固定手段用孔部１６が設けられている。
前記足受部１０は、折畳機構３０を介して把持部２０と接合されている。
【００２６】
図２は前記足受部１０の、足受部裏側部材１０２と把持部２０の把持部裏側部材２０２と料部材を接合する折畳機構３０に拡大図で、軸３１を、矢印３８の順に軸受３２の軸受孔３５、軸受３４の軸受孔３７、軸受３３の軸受孔３６を貫通させ、足受部１０と把持部２０を接合することで、前記足受部１０と前記把持部２０を折り畳むことができるように構成されている。
【００２７】
図３（ａ）は、本考案に係る足甲形状矯正具１の伸長された状態を示し、図３（ｂ）は、前記足受部１０と前期把持部２０が折畳機構３０を介して折り畳まれた状態を示す。
前記足甲形状矯正具１の伸長された状態は約７００ミリメートルで、折畳機構３０は、前記足甲形状矯正具１把持部２０側の一端から約３５０ミリメートルの位置に設けられる。
【００２８】
図４は、伸縮性のない布状の部材からなり、利用者の足と前記足受部とを巻着するための、１組のベルト４１とベルト固定用リング４２からなる締着機構を備える足部固定手段４０を示し、図５（ａ）で示すように利用者の脚部６０から足部５０を足甲形状矯正具１に載置し、図５（ｂ）で示すように、前記足部固定手段４０を足部固定手段用孔部１６に貫通させて、ベルト４１とベルト固定用リング４２により足部固定手段４０を締着することにより、前期足受部１０と前記足部５０を巻着した状態を示す。
【実施例２】
【００２９】
図６乃至図７は本考案に係る足甲形状矯正具の他の実施例を示す。
【００３０】
図６は、伸縮性のない布状の部材からなり、利用者の足と前記足受部とを巻着するための、２組のベルト４１とベルト固定用リング４２からなる締着機構を備える足部固定手段４５を示し、図７（ａ）で示すように利用者の脚部６０から足部５０を足甲形状矯正具１に載置し、図７（ｂ）で示すように、前記足部固定手段４５を足部固定手段用孔部１６に貫通させて、ベルト４６とベルト固定用リング４７により２カ所で足部固定手段４５を締着することにより、前期足受部１０と前記足部５０を巻着した状態を示す。
【００３１】
なお、本考案は上述した実施の形態で説明した構造には限定されず、各部の形状、構造等を適宜変形、変更し得ることはいうまでもない。
【符号の説明】
【００３２】
１  足甲形状矯正具
１０  足受部
１１  足指受凹部
１２  土踏まず受凸部
１３  踵受凹部
１４  距骨部受凸部
１５  ふくらはぎ受部
１６  足部固定手段用孔部
１７  足受部側面
１８  足受部側面
１９  把持部収納凹部
１０１  足受部表側部材
１０２  足受部裏側部材
２０  把持部
２０１  把持部表側部材
２０２  把持部裏側部材
３０  折畳機構
３１  軸
３２  軸受
３３  軸受
３４  軸受
３５  軸受孔
３６  軸受孔
３７  軸受孔
３８  矢印
３９  矢印
４０  足部固定手段
４１  ベルト
４２  ベルト固定用リング
４３  面ファスナー
４５  足部固定手段
４６  ベルト
４７  ベルト固定用リング
４８  面ファスナー
５０  足部
５１  甲
５２  足指
５３  土踏まず
５４  踵
５５  距骨部
６０  脚部
６１  ふくらはぎ
【図１】
0003197311.tif 000003
【図２】
0003197311.tif 000004
【図３】
0003197311.tif 000005
【図４】
0003197311.tif 000006
【図５】
0003197311.tif 000007
【図６】
0003197311.tif 000008
【図７】
0003197311.tif 000009